(57)【要約】【課題】一対の建築用板材の端辺部を、屈折部分において隙間を生じさせることなく容易且つ見栄え良く納めてゆくことのできる見切り接合部材を提供する。【解決手段】一対の建築用板材１４ａ，１４ｂの端辺部１９ａ，１９ｂを接合しつつ納めるために使用する見切り接合部材１０であって、一方の建築用板材１４ａの端辺部１９ａが挿入配置されるコの字状断面の第１見切り１５ａと、他方の建築用板材１４ｂの端辺部１９ｂが挿入配置されるコの字状断面の第２見切り１５ｂと、第１見切り１５ａと第２見切り１５ｂとを屈折可能に接合する線状屈折部１６とからなり、第１見切り１５ａと第２見切り１５ｂの各開口面１７ａ，１７ｂを各々線状屈折部１６から離れる方向を向くように配置し、且つ線状屈折部１６が開口面１７ａ，１７ｂを挟む同じ側の一方の面１８ａ，１８ｂの交差部分に設けられるように、第１見切り１５ａと第２見切り１５ｂとを一体接合する。【選択図】　　　　図２
2004036216.tif 000002
【特許請求の範囲】
【請求項１】
一対の建築用板材の端辺部に沿って取り付けられ、該一対の端辺部を接合しつつ納めるために使用する見切り接合部材であって、
一方の建築用板材の端辺部が挿入配置されるコの字状断面の第１見切りと、他方の建築用板材の端辺部が挿入配置されるコの字状断面の第２見切りと、第１見切りと第２見切りとをこれらの一体接合部に沿って屈折可能に接合する線状屈折部とからなり、
前記コの字状断面の第１見切りと第２見切りの各開口面を各々前記線状屈折部から離れる方向を向くように配置し、且つ前記線状屈折部が前記各コの字状断面の開口面を挟む同じ側の一方の面の交差部分に設けられるように、前記第１見切りと第２見切りが一体接合されている建築用板材の見切り接合部材。
【請求項２】
前記線状屈折部は、前記第１見切りと第２見切りの各開口面を挟む同じ側の一方の面を前記開口面と反対側に各々延設して、該延設した交差部分に設けられる請求項１に記載の建築用板材の見切り接合部材。
【請求項３】
前記線状屈折部が設けられた前記第１見切りと第２見切りの各開口面を挟む同じ側の一方の面は、前記各開口面を挟む他方の面よりも前記開口面側に短く延設している請求項１又は２に記載の建築用板材の見切り接合部材。
【請求項４】
前記線状屈折部が設けられた前記第１見切りと第２見切りの各開口面を挟む同じ側の一方の面の先端部分には、当該一方の面の先端部分を挟み込むようにして開口面側からスライド可能に嵌着される、扁平なコの字状断面の変位吸収部材が取り付けられている請求項１〜３のいずれかに記載の建築用板材の見切り接合部材。
【請求項５】
請求項１〜４のいずれかに記載の建築用板材の見切り接合部材を用いた見切り接合構造であって、接合される一対の建築用板材の接合角度に応じて前記線状屈折部を屈折させた状態で、前記見切り接合部材が建築用板材の屈折接合部位に取り付けられると共に、前記一対の建築用板材の端辺部が前記見切り接合部材のコの字状断面の第１見切りと第２見切りに各々挿入配置されて、前記見切り接合部材によって前記各端辺部を覆いつつ当該見切り接合部材を介して前記一対の建築用板材が接合されている建築用板材の見切り接合構造。
【請求項６】
前記一対の建築用板材の端辺部には、これの表面側に前記扁平なコの字状断面の変位吸収部材が各々取り付けられ、該変位吸収部材を前記線状屈折部が設けられた前記第１見切りと第２見切りの各開口面を挟む同じ側の一方の面の先端部分に各々嵌着しつつ、前記一対の建築用板材の端辺部が前記見切り接合部材のコの字状断面の第１見切りと第２見切りに各々挿入配置される請求項５に記載の建築用板材の見切り接合構造。
【発明の詳細な説明】
【０００１】
【発明の属する技術分野】
本発明は、一対の建築用板材の端辺部に沿って取り付けられ、該一対の端辺部を接合しつつ納めるために使用する建築用板材の見切り接合部材、及び該見切り接合部材を用いた建築用板材の見切り接合構造に関する。
【０００２】
【従来の技術及び発明が解決しようとする課題】
住宅用建築物等の建物には、屋内部分の壁面や天井面等を覆って、耐火ボード、壁パネル、化粧ボード等の各種の建築用板材が、下地材として、或いは内装仕上げ材として取り付けられる。また建物の屋外部分においても、軒天材や外装仕上げ材等の各種の建築用板材が、屋根裏面や外壁面等を覆って取り付けられる。これらの建築用板材は、当該建築用板材の取付け面の形状に応じて板材の規格品を適宜切断加工等すると共に、複数の建築用板材をその端辺部で互いに接合して、所定の形状の取付け面を隙間無く覆うようにしている。
【０００３】
これらの建築用板材を平坦な取付け面に対して複数連接して取り付けてゆく場合には、例えば小口同士を当接させて端辺部を容易かつきれいに接合してゆくことが可能であるが、取付け面が例えば出隅部や入隅部等を含んでいて屈折部分を有する面である場合には、当該屈折部分で建築用板材を接合してゆく際に、隣接する一対の建築用板材の端辺部をきれいに接合してゆくことが困難だった。すなわち、図９（ａ）に示すように、一般に直角な小口５１を有する一対の建築用板材５０を取付け面の屈折部分で接合するには、小口５１の直角な角部のみを互いに当接させることになるためため隙間が生じやすく、したがって一対の建築用板材５０の端辺部同士を見栄え良く納めることが困難である。また建築用板材５０に表面仕上げを施す場合には、小口５１の角部による接合部分が僅かで不安定であるため、表面仕上げ材が屈折部分で剥がれやすくなる。さらに、施工した後、時間の経過と共に建築用板材５０が収縮すると、屈折部分に隙間や目地切れが発生してアフターメンテナンスを必要とすることになる。
【０００４】
一方、屈折部分における一対の建築用板材５０の隙間を覆い隠すものとして、例えば図９（ｂ）に示すようなプラスチック製のテープ材料によるコーナー保護材５２が知られているが、このようなコーナー保護材５２では、建築用板材５０の収縮に対応することが困難であると共に、見栄えを良くするためにはコーナー保護材５２を覆ってさらに表面仕上げ材を施す必要がある。また例えば特開２００２−１２１８８１には、直角な入隅部に取り付けられて、壁パネルの端辺部を挿入配置することにより一対の壁パネルを接合できるようにした、見切り接合部材としてのコーナー部材が開示されているが、このようなコーナー部材では、予め決められた直角若しくは特定の角度の屈折部分にのみ用いることができ、取付け面の種々の屈折角度に対応するためには、これらの様々な屈折角度に応じたコーナー部材を、その都度新たに製作して用いる必要がある。
【０００５】
本発明は、このような従来の課題に着目してなされたもので、一対の建築用板材の端辺部を、取付け面の屈折部分において隙間を生じさせることなく容易且つ見栄え良く納めてゆくことができると共に、種々の屈折角度の屈折部分に容易に対応させて用いることのできる建築用板材の見切り接合部材及び見切り接合構造を提供することを目的とする。
【０００６】
【課題を解決するための手段】
本発明は、一対の建築用板材の端辺部に沿って取り付けられ、該一対の端辺部を接合しつつ納めるために使用する見切り接合部材であって、一方の建築用板材の端辺部が挿入配置されるコの字状断面の第１見切りと、他方の建築用板材の端辺部が挿入配置されるコの字状断面の第２見切りと、第１見切りと第２見切りとをこれらの一体接合部に沿って屈折可能に接合する線状屈折部とからなり、前記コの字状断面の第１見切りと第２見切りの各開口面を各々前記線状屈折部から離れる方向を向くように配置し、且つ前記線状屈折部が前記各コの字状断面の開口面を挟む同じ側の一方の面の交差部分に設けられるように、前記第１見切りと第２見切りが一体接合されている建築用板材の見切り接合部材を提供することにより、上記目的を達成したものである（請求項１記載の発明）。
【０００７】
そして、本発明の建築用板材の見切り接合部材によれば、前記線状屈折部は、前記第１見切りと第２見切りの各開口面を挟む同じ側の一方の面を前記開口面と反対側に各々延設して、該延設した交差部分に設けられていることが好ましい（請求項２記載の発明）。
【０００８】
また、本発明の建築用板材の見切り接合部材によれば、前記線状屈折部が設けられた前記第１見切りと第２見切りの各開口面を挟む同じ側の一方の面は、前記各開口面を挟む他方の面よりも前記開口面側に短く延設していることが好ましい（請求項３記載の発明）。
【０００９】
さらに、本発明の建築用板材の見切り接合部材によれば、前記線状屈折部が設けられた前記第１見切りと第２見切りの各開口面を挟む同じ側の一方の面の先端部分には、当該一方の面の先端部分を挟み込むようにして開口面側からスライド可能に嵌着される、扁平なコの字状断面の変位吸収部材が取り付けられていることが好ましい（請求項４記載の発明）。
【００１０】
また、本発明は、上記いずれかの建築用板材の見切り接合部材を用いた見切り接合構造であって、接合される一対の建築用板材の接合角度に応じて前記線状屈折部を屈折させた状態で、前記見切り接合部材が建築用板材の屈折接合部位に取り付けられると共に、前記一対の建築用板材の端辺部が前記見切り接合部材のコの字状断面の第１見切りと第２見切りに各々挿入配置されて、前記見切り接合部材によって前記各端辺部を覆いつつ当該見切り接合部材を介して前記一対の建築用板材が接合されている建築用板材の見切り接合構造を提供することにより、上記目的を達成したものである（請求項５記載の発明）。
【００１１】
そして、本発明の建築用板材の見切り接合構造によれば、前記一対の建築用板材の端辺部には、これの表面側に前記扁平なコの字状断面の変位吸収部材が各々取り付けられ、該変位吸収部材を前記線状屈折部が設けられた前記第１見切りと第２見切りの各開口面を挟む同じ側の一方の面の先端部分に各々嵌着しつつ、前記一対の建築用板材の端辺部が前記見切り接合部材のコの字状断面の第１見切りと第２見切りに各々挿入配置されることが好ましい（請求項６記載の発明）。
【００１２】
【発明の実施の形態】
以下、本発明の好ましい実施形態を添付図面を参照しつつ詳細に説明する。図１に示す本発明の第１実施形態に係る建築用板材の見切り接合部材１０は、一例として、図３に示す建物本体１１の外壁よりも外側に張り出して設けられる軒屋根１２が、出隅部で上方に凸となって屈折する出隅接合部分１３において、図２に示すように、建築用板材である一対の軒天材１４ａ，１４ｂの端辺部１９ａ，１９ｂを、軒屋根１２の裏側で屈折部分を挟んで接合する際に、見栄え良く取り付けてゆくための見切り材として用いられるものである。
【００１３】
すなわち、本第１実施形態の見切り接合部材１０は、図１及び図２に示すように、接合される一対の軒天材１４ａ，１４ｂの端辺部１９ａ，１９ｂに沿って取り付けられ、これらの一対の端辺部１９ａ，１９ｂを接合しつつ納めるために使用する接合部材であって、一方の軒天材１４ａの端辺部１９ａが挿入配置されるコの字状断面の第１見切り１５ａと、他方の建築用板材１４ｂの端辺部１９ｂが挿入配置されるコの字状断面の第２見切り１５ｂと、第１見切り１５ａと第２見切り１５ｂとをこれらの一体接合部に沿って屈折可能に接合する線状屈折部１６とからなる。またコの字状断面の第１見切り１５ａと第２見切り１５ｂの各開口面１７ａ，１７ｂを各々線状屈折部１６から離れる方向を向くように配置し、且つ線状屈折部１６が各コの字状断面の開口面１７ａ，１７ｂを挟む同じ側の一方の面１８ａ，１８ｂの交差部分に設けられるように、第１見切り１５ａと第２見切り１５ｂが一体接合されている。
【００１４】
そして、本第１実施形態によれば、見切り接合部材１０は、接合される一対の軒天材１４ａ，１４ｂの接合角度に応じて線状屈折部１６を屈折させた状態で、軒天材の屈折接合部位である出隅接合部分１３における軒屋根１２の裏側に取り付けられると共に、一対の軒天材１４ａ，１４ｂの端辺部１９ａ，１９ｂがコの字状断面の第１見切り１５ａと第２見切り１５ｂに各々挿入配置されることにより、見切り接合部材１０によって各端辺部１９ａ，１９ｂを覆いつつ当該見切り接合部材１０を介して一対の軒天材１４ａ，１４ｂが接合されている軒天材の見切り接合構造が設けられる。
【００１５】
本第１実施形態の見切り接合部材１０を構成する第１見切り１５ａと第２見切り１５ｂは、各々例えば硬質樹脂製の０．５〜２．０ｍｍ程度の厚さのプレート材料から形成されるものであり、同じ形状のコの字状断面となるように、開口面１７ａ，１７ｂを挟んで配置される一方の面１８ａ，１８ｂ及び他方の面２０ａ，２０ｂと、開口面１７ａ，１７ｂの反対側に配置される閉塞面２１ａ，２１ｂとを垂直に一体接合した状態で、軒天材１４ａ，１４ｂの端辺部１９ａ，１９ｂに沿って配設されるのに十分な長さで形成される。また本第１実施形態によれば、一方の面１８ａ，１８ｂの幅が例えば１０．０〜２０．０ｍｍ、他方の面２０ａ，２０ｂの幅が例えば１５．０〜３０．０ｍｍ、閉塞面２１ａ，２１ｂの幅が例えば５．０〜１５．０ｍｍとなっており、これによって、第１見切り１５ａと第２見切り１５ｂの内側には、厚さが例えば５．０〜１２．０ｍｍの軒天材１４ａ，１４ｂの端辺部１９ａ，１９ｂを、大きな隙間を生じることなくスライド可能にスムーズに挿入配置できるような空間が保持されることになると共に、開口面１７ａ，１７ｂを挟む一方の面１８ａ，１８ｂは他方の面２０ａ，２０ｂよりも開口面１７ａ，１７ｂ側に例えば５．０〜１０．０ｍｍ短く延設していることになり、これによって、一対の軒天材１４ａ，１４ｂの端辺部１９ａ，１９ｂをコの字状断面の第１見切り１５ａ、第２見切り１５ｂに各々挿入配置しやすいようになっている。さらに、本第１実施形態によれば、軒天材の屈折接合部位において仕上げ面側に配置される一方の面１８ａ，１８ｂには、直径が３．０〜６．０ｍｍ程度のパンチ穴２２が整列配置されて複数開口形成されており、取り付けた見切り接合部材１０を覆って表面仕上げを行う際に、パテ等を見切り接合部材１０の一方の面１８ａ，１８ｂや軒天材１４ａ，１４ｂの端辺部１９ａ，１９ｂに容易に付着させて、表面仕上げ材を施工しやすいようになっている。
【００１６】
本第１実施形態の見切り接合部材１０を構成する線状屈折部１６は、コの字状断面の第１見切り１５ａと第２見切り１５ｂとを各開口面１７ａ，１７ｂが反対側を向くように配置し、各一方の面１８ａ，１８ｂと閉塞面２１ａ，２１ｂとの角部の間に介在して、軟質樹脂材料を当該角部に沿って例えば０．５〜３．０ｍｍの幅で細い帯状に見切り接合部材１０の全長に亘って取り付けると共に、当該軟質樹脂材料を介して第１見切り１５ａと第２見切り１５ｂとを一体接合することによって、第１見切り１５ａと第２見切り１５ｂの一方の面１８ａ，１８ｂの交差部分に設けられる。第１見切り１５ａと第２見切り１５ｂとが線状屈折部１６を介して接合一体化されていることにより、当該線状屈折部１６を屈曲部として第１見切り１５ａと第２見切り１５ｂとを例えば略０〜１８０度の角度範囲に亘る屈折角度θで自由に屈折させることができるようになっている。
【００１７】
そして、本実施形態によれば、軒天材の屈折接合部位である出隅接合部分１３における軒屋根１２の裏側に、見切り接合部材１０を釘、木ねじ等を介して取り付けた後に、一対の軒天材１４ａ，１４ｂの端辺部１９ａ，１９ｂを第１見切り１５ａ、第２見切り１５ｂに各々挿入配置するか、或いは第１見切り１５ａ、第２見切り１５ｂに一対の軒天材１４ａ，１４ｂの端辺部１９ａ，１９ｂを各々予め挿入配置した後に、釘、木ねじ等を介して見切り接合部材１０を軒天材１４ａ，１４ｂと共に軒屋根１２の裏側に取り付けることにより、一対の軒天材１４ａ，１４ｂの端辺部１９ａ，１９ｂを、出隅接合部分１３の裏側の屈折部分において隙間を生じさせることなく容易且つ見栄え良く納めてゆくことが可能になる。すなわち、本第１実施形態によれば、一対の軒天材１４ａ，１４ｂの端辺部１９ａ，１９ｂは、第１見切り１５ａと第２見切り１５ｂに各々挿入配置されて、小口が覆い隠された状態で簡易かつ容易に接合されると共に、軒天材１４ａ，１４ｂが収縮しても、第１見切り１５ａの内部でスライド移動するだけで小口間の隙間を表出させることがなく、したがって一対の軒天材１４ａ，１４ｂの端辺部１９ａ，１９ｂ同士を見栄え良く納めることが可能になる。また軒天材１４ａ，１４ｂに表面仕上げを施す場合でも、見切り接合部材１０を下地材とすることにより、屈折部分に剥がれにくい安定した表面仕上げを行うことが可能になる。
【００１８】
また、本実施形態によれば、異なる角度で屈折する屈折部分に各々対応させて見切り接合部材１０を容易に使用することができる。すなわち、例えば図３に示す２箇所の出隅接合部分１３では、軒屋根１２の幅や勾配等によってその屈折角度が異なっている場合があり、出隅接合部分１３の裏側の屈折接合部位の屈折角度も変化することになるが、本第１実施形態によれば、第１見切り１５ａと第２見切り１５ｂとが、線状屈折部１６を介して一体接合されているので、第１見切り１５ａと第２見切り１５ｂとを相当の角度範囲に亘って自由に屈折させることができ、これによって異なる屈折角度に応じた接合部材をその都度新たに製作することなく、屈折接合部位に容易かつ安価に軒天材１４ａ，１４ｂの見切り接合構造を設けることが可能になる。
【００１９】
図４は、本発明の第２実施形態に係る建築用板材の見切り接合部材２３を示すものであり、本第２実施形態の接合部材２３によれば、上記第１実施形態の見切り接合部材１０と略同様の構成を備えていることに加えて、線状屈折部２４は、第１見切り２５ａと第２見切り２５ｂの各開口面２６ａ，２６ｂを挟む同じ側の一方の面２７ａ，２７ｂを開口面２６ａ，２６ｂと反対側に各々延設して、この延設部分２８ａ，２８ｂが交差する交差部分に設けられている。すなわち、本第２実施形態によれば、各延設部分２８ａ，２８ｂは、各一方の面２７ａ，２７ｂと閉塞面２９ａ，２９ｂとが接合する角部から例えば５．０〜２５．０ｍｍの幅で開口面２６ａ，２６ｂと反対側に延設しており、これの先端部分に介在する軟質樹脂材料からなる線状屈折部２４を介して第１見切り２５ａと第２見切り２５ｂとを一体接合していることにより、当該線状屈折部２４を屈曲部として第１見切り２５ａと第２見切り２５ｂとを例えば略０〜３００度の角度範囲に亘る屈折角度θで自由に屈折させることができるようになっている。また本第２実施形態の接合部材２３によれば、各一方の面２７ａ，２７ｂと閉塞面２９ａ，２９ｂとが接合する角部の背面側には、略直角３角形の断面形状となるように肉厚を厚くして補強部３０ａ，３０ｂが設けられており、これによって各一方の面２７ａ，２７ｂと閉塞面２９ａ，２９ｂとが直角に接合する形状を強固に補強している。
【００２０】
そして、本第２実施形態によっても、上記第１実施形態と略同様の作用効果を奏すると共に、特に第１見切り２５ａと第２見切り２５ｂとが略０〜３００度の広い角度範囲に亘って屈折できることから、例えば図３に示す軒屋根１２が入隅部で下方に凸となって屈折する入隅接合部分３１の裏側において、図５に示すように、建築用板材である一対の軒天材１４ａ，１４ｂの端辺部１９ａ，１９ｂを屈折部分を挟んで接合する場合等、１８０度を越える屈折角度θの屈折接合部位に採用する際に有効である。
【００２１】
図６は、本発明の第３実施形態に係る建築用板材の見切り接合部材３２を示すものであり、本第３実施形態の接合部材３２によれば、図７に示すような室内の壁面における屈折接合部位として、例えば天井壁面の屈折部分３３を挟んで建築用板材である耐火ボード３４ａ，３４ｂを、仕上げクロス３５を取り付けた状態で接合する際に用いられるものである。また、本第３実施形態の見切り接合部材３２は、上記第２実施形態の見切り接合部材２３と同様の構成を備えていることに加えて、線状屈折部４４が設けられた第１見切り３６ａと第２見切り３６ｂの各開口面３７ａ，３７ｂを挟む同じ側の一方の面３８ａ，３８ｂの先端部分には、当該一方の面３８ａ，３８ｂの先端部分を挟み込むようにして開口面３７ａ，３７ｂ側からスライド可能に嵌着される、扁平なコの字状断面の変位吸収部材３９ａ，３９ｂが取り付けられている。
【００２２】
本第３実施形態によれば、例えば第１見切り３６ａと第２見切り３６ｂの一方の面３８ａ，３８ｂの先端部分に変位吸収部材３９ａ，３９ｂを予め嵌着すると共に、この変位吸収部材３９ａ，３９ｂの耐火ボード３４ａ，３４ｂとの接触面には剥離紙が付着された両面テープ４６を予め粘着しておき、この状態で接合部材２３を天井の下地材４５に釘、木ねじ等を介して固定する。しかる後に、耐火ボード３４ａ，３４ｂの端辺部４０ａ，４０ｂを、コの字状断面の第１見切り３６ａと第２見切り３６ｂに各々挿入配置すると共に、両面テープ４６の剥離紙を剥がして変位吸収部材３９ａ，３９ｂと耐火ボード３４ａ，３４ｂとを粘着させ、さらに仕上げクロス３５を変位吸収部材３９ａ，３９ｂに接するまで耐火ボード３４ａ，３４ｂの表面に貼り付けることにより、建築用板材の見切り接合構造が設けられる。なお、両面テープ４６の剥離紙を変位吸収部材３９ａ，３９ｂから線状屈折部４４とは反対側に延ばしておくことにより、耐火ボード３４ａ，３４ｂの端辺部４０ａ，４０ｂを第１見切り３６ａと第２見切り３６ｂに各々挿入配置する作業や、両面テープ４６の剥離紙を剥がす作業を行いやすくなる。
【００２３】
そして、本第３実施形態によっても、上記第１実施形態と略同様の作用効果を奏すると共に、特に変位吸収部材３９ａ，３９ｂが設けられていることから、時間の経過等により耐火ボード３４ａ，３４ｂが収縮しても、変位吸収部材３９ａ，３９ｂが第１見切り３６ａ、第２見切り３６ｂの各一方の面３８ａ，３８ｂに沿ってスライド移動して、仕上げクロス３５が貼り付けられた耐火ボード３４ａ，３４ｂの見切り接合部材３２に対する変位を吸収することにより、ちり切れ等による仕上げクロス３５の破損や、隙間や目地切れ等の発生を効果的に回避することが可能になる。
【００２４】
なお、本発明は上記実施形態に限定されることなく種々の変更が可能である。例えば、第１見切りと第２見切りは硬質樹脂製のものである必要は必ずしもなく、アルミ板や鋼板等を用いて形成したものを軟質樹脂材料により一体接合して、本発明の見切り接合部材とすることもできる。また第１見切りと第２見切りは同じ形状のコの字状断面である必要は必ずしもなく、開口面を挟む同じ側の一方の面を他方の面よりも短くする必要は必ずしもない。さらに、線状屈折部を軟質樹脂材料によって構成する必要は必ずしもない。さらにまた、本発明は、軒天材の屈折接合部位や天井壁面の屈折接合部位の他、例えば図７に示す天井壁面と側壁面との屈折接合部位４１、側壁面の角部４２、図８に示す側壁面の屈折接合部位４３等、その他の種々の建築用板材の屈折接合部位に採用することができる。
【００２５】
【発明の効果】
本発明の建築用板材の見切り接合部材及び見切り接合構造によれば、一対の建築用板材の端辺部を、取付け面の屈折部分において隙間を生じさせることなく容易且つ見栄え良く納めてゆくことができると共に、種々の屈折角度の屈折部分に容易に対応させて用いることができる。
【図面の簡単な説明】
【図１】本発明の第１実施形態に係る見切り接合部材を示す斜視図である。
【図２】本発明の第１実施形態に係る見切り接合部材を用いた見切り接合構造を例示する断面図である。
【図３】軒屋根の出隅接合部分及び入隅接合部分を説明する略示平面図である。
【図４】本発明の第２実施形態に係る見切り接合部材を示す断面図である。
【図５】本発明の第２実施形態に係る見切り接合部材を用いた見切り接合構造を例示する断面図である。
【図６】本発明の第３実施形態に係る見切り接合部材を用いた見切り接合構造を例示する断面図である。
【図７】本発明が採用される建築用板材の屈折接合部位の説明図である。
【図８】本発明が採用される建築用板材の屈折接合部位の説明図である。
【図９】（ａ）及び（ｂ）は、従来の屈折接合部位における建築用板材の接合構造を例示する断面図である。
【符号の説明】
１０，２３，３２　見切り接合部材
１３　出隅接合部分
１４ａ，１４ｂ　軒天材（建築用板材）
１５ａ，２５ａ，３６ａ　第１見切り
１５ｂ，２５ｂ，３６ｂ　第２見切り
１６，２４，４４　線状屈折部
１７ａ，１７ｂ，２６ａ，２６ｂ，３７ａ，３７ｂ　コの字状断面の開口面
１８ａ，１８ｂ，２７ａ，２７ｂ，３８ａ，３８ｂ　開口面を挟む一方の面
１９ａ，１９ｂ，４０ａ，４０ｂ　端辺部
２０ａ，２０ｂ　開口面を挟む他方の面
２１ａ，２１ｂ，２９ａ，２９ｂ　閉塞面
２２　パンチ穴
２８ａ，２８ｂ　延設部分
３０ａ，３０ｂ　補強部
３１　入隅接合部分
３４ａ，３４ｂ　耐火ボード（建築用板材）
３５　仕上げクロス
３９ａ，３９ｂ　変位吸収部材
４６　両面テープ
θ　屈折角度
【図１】
2004036216.tif 000003
【図２】
2004036216.tif 000004
【図３】
2004036216.tif 000005
【図４】
2004036216.tif 000006
【図５】
2004036216.tif 000007
【図６】
2004036216.tif 000008
【図７】
2004036216.tif 000009
【図８】
2004036216.tif 000010
【図９】
2004036216.tif 000011